(57)【要約】【課題】  発光輝度を正確に制御するために、発光の立ち上がりを急峻にする。【解決手段】  複数のデータ線の一つを介して供給され、階調を規定するデータ信号により制御される複数の電気光学素子を有する電気光学装置の駆動回路であって、電気光学素子の発光閾値電圧よりも低い第１電圧をデータ線に印加する第１電圧印加部と、電気光学素子を発光させる発光電流を電気光学素子に供給する発光電流供給部と、第１電圧よりも低い第２電圧をデータ線に印加する第２電圧印加部と、データ線に対し、第１電圧印加部と、発光電流供給部と、第２電圧印加部と、を切り換え接続する接続切換部を備える。【選択図】      図３
2006308633.tif 000002
【特許請求の範囲】
【請求項１】
複数のデータ線の一つを介して供給され、階調を規定する発光電流により制御される複数の電気光学素子を有する電気光学装置の駆動回路であって、
前記電気光学素子の発光閾値電圧よりも低く前記データ線をプリチャージするための第１電圧を前記データ線に印加する第１電圧印加部と、
前記発光電流を前記電気光学素子に供給する発光電流供給部と、
前記第１電圧よりも低く前記電気光学素子の発光を完全にオフ状態にする第２電圧を前記データ線に印加する第２電圧印加部と、
を備え、
前記電気光学素子に前記発光電流を供給する直前まで、前記データ線に前記第１電圧印加部を接続し、
前記電気光学素子の発光開始から終了までは、前記データ線に前記発光電流供給部を接続して、前記電気光学素子に前記発光電流を供給し、
前記電気光学素子に前記発光電流の供給を終了した直後に、前記データ線に前記第２電圧印加部を接続する、
ことを特徴とする電気光学装置の駆動回路。
【請求項２】
複数のデータ線の一つを介して供給され、階調を規定する発光電流により制御される複数の電気光学素子を有する電気光学装置の駆動回路であって、
前記電気光学素子の発光閾値電圧よりも低く前記データ線をプリチャージするための第１電圧を前記データ線に印加する第１電圧印加部と、
前記発光電流を前記電気光学素子に供給する発光電流供給部と、
前記第１電圧よりも低く前記電気光学素子の発光を完全にオフ状態にする第２電圧を前記データ線に印加する第２電圧印加部と、
前記データ線に対し、前記第１電圧印加部と、前記発光電流供給部と、前記第２電圧印加部と、を切り換え接続する接続切換部と、
を備え、
前記電気光学素子に前記発光電流を供給する直前まで、前記データ線に対し前記第１電圧印加部を接続し、
前記電気光学素子の発光開始から終了までは、前記データ線に対し前記発光電流供給部を接続し、
前記電気光学素子に前記発光電流の供給を終了した直後に、前記データ線に対し前記第２電圧印加部を接続する、
ように前記接続切換部を制御する、
ことを特徴とする電気光学装置の駆動回路。
【請求項３】
複数のデータ線の一つを介して供給され、階調を規定する発光電流により制御される複数の電気光学素子を有する電気光学装置の駆動回路であって、
前記電気光学素子の発光閾値電圧よりも低く前記電気光学素子の接合容量をプリチャージするための第１電圧を前記データ線に印加する第１電圧印加部と、
前記発光電流を前記電気光学素子に供給する発光電流供給部と、
前記第１電圧よりも低く前記電気光学素子の発光を完全にオフ状態にする第２電圧を前記データ線に印加する第２電圧印加部と、
前記データ線に対し、前記第１電圧印加部と、前記発光電流供給部と、前記第２電圧印加部と、を切り換え接続する接続切換部と、
を備え、
前記電気光学素子に前記発光電流を供給する直前および供給した直後の所定の期間まで、前記データ線に対し前記第１電圧印加部を接続し、
前記電気光学素子の発光開始から終了までは、前記データ線に対し前記発光電流供給部を接続し、
前記電気光学素子に前記発光電流の供給を終了した直後に、前記データ線に対し前記第２電圧印加部を接続する、
ように前記接続切換部を制御する、
ことを特徴とする電気光学装置の駆動回路。
【請求項４】
複数のデータ線の一つを介して供給され、階調を規定する発光電流により制御される複数の電気光学素子を有する電気光学装置の駆動回路であって、
前記電気光学素子の発光閾値電圧よりも低く前記電気光学素子の接合容量をプリチャージするための第１電圧を前記データ線に印加する第１電圧印加部と、
前記発光電流を前記電気光学素子に供給する発光電流供給部と、
前記第１電圧よりも低く前記電気光学素子の発光を完全にオフ状態にする第２電圧を前記データ線に印加する第２電圧印加部と、
前記電気光学素子に対し前記発光電流を供給中に前記電気光学素子に生じる電圧と等しい第３電圧を前記データ線に印加する第３電圧印加部と、
前記電気光学素子に対し、前記第１電圧印加部と、前記発光電流供給部と、前記第２電圧印加部と、前記第３電圧印加部と、を切り換え接続する接続切換部と、
を備え、
前記電気光学素子に前記発光電流を供給する直前まで、前記データ線に対し前記第１電圧印加部を接続し、
前記電気光学素子に前記発光電流を供給した直後の所定の期間、前記データ線に対し前記第３電圧印加部を接続し、
前記電気光学素子の発光開始から終了までは、前記データ線に対し前記発光電流供給部を接続し、
前記電気光学素子に発光電流の供給を終了した直後に、前記データ線に対し前記第２電圧印加部を接続する、
ように前記接続切換部を制御する、
ことを特徴とする電気光学装置の駆動回路。
【請求項５】
請求項１から４のいずれか一項に記載の電気光学装置の駆動回路において、
前記第２電圧は、前記電気光学素子に逆バイアスを印加する電圧である、
ことを特徴とする電気光学装置の駆動回路。
【請求項６】
請求項１から５のいずれか一項に記載の前記駆動回路を備えた電気光学装置。
【請求項７】
請求項６に記載の電気光学装置において、前記電気光学素子は有機発光ダイオード素子であることを特徴とする電気光学装置。
【請求項８】
請求項６または７に記載の電気光学装置を備えた電子機器。
【請求項９】
複数のデータ線の一つを介して供給され、階調を規定する発光電流により制御される複数の電気光学素子を有する電気光学装置の駆動方法であって、
前記電気光学素子の発光閾値電圧よりも低く前記データ線をプリチャージするための第１電圧を前記データ線に印加する第１電圧印加工程と、
前記発光電流を前記電気光学素子に供給する発光電流供給工程と、
前記第１電圧よりも低く前記電気光学素子の発光を完全にオフ状態にする第２電圧を前記データ線に印加する第２電圧印加工程と、
からなり、
前記電気光学素子に前記発光電流を供給する直前まで、前記データ線に前記第１電圧印加工程を行い、
前記電気光学素子の発光開始から終了までは、前記データ線に前記発光電流供給工程を行い、
前記電気光学素子に前記発光電流の供給を終了した直後に、前記データ線に前記第２電圧印加工程を行う、
ことを特徴とする電気光学装置の駆動方法。
【発明の詳細な説明】
【技術分野】
【０００１】
本発明は、有機発光ダイオード素子であるＯＬＥＤ（Organic  Light  Emitting  Diode）素子などの電気光学素子を駆動する駆動回路、電気光学装置、その駆動方法および電子機器にする。
【背景技術】
【０００２】
電気光学素子を備えた電気光学装置の中で、特に、電流駆動型の電気光学素子を備えた単純マトリクス（パッシブマトリックス）型の電気光学装置では、それぞれの電気光学素子は、データ線駆動回路から出力される電流信号の時間幅（パルス幅）により、発光輝度が制御される。しかし、電流信号は微弱であり、その一部の電流はデータ線駆動回路から電気光学素子までに至るデータ線の配線容量や、電気光学素子の接合容量に充電されてしまうため、実際に電気光学素子に辿り着く電流は、立ち上がりが緩やかとなり、電気光学素子の発光のタイミングもこれに伴い、緩慢になってしまうという問題がある。
【０００３】
この問題を解決するために、例えば特許文献１には、有機ＥＬ素子や発光ダイオード等の電流駆動型の表示素子を備えた単純マトリクス型の表示パネルに表示データに応じた所望の画像情報を表示するための表示駆動装置であって、各表示素子に対して表示データに応じた所定の信号時間幅（パルス幅）を有する一定電流（駆動電流）を供給することにより、発光輝度を制御するパルス幅変調（ＰＷＭ）制御を行う際に、上記駆動電流の供給に先立って、各表示素子に対して所定の一定電圧（上記駆動電流を各表示素子に供給する際に印加される電圧と同等の電圧：第１の一定電圧）を印加するように構成している。
【０００４】
【特許文献１】特開２００４−４５４８８号公報（段落００３０）
【発明の開示】
【発明が解決しようとする課題】
【０００５】
しかしながら、特許文献１では、駆動電流の供給に先立って、電気光学素子に印加する電圧は、電気光学素子を発光させる電圧と同等の電圧であるため、電気光学素子を発光させないためには、走査線電位を調整する必要があり、制御が複雑になる。
【０００６】
本発明は、このような事情に鑑みてなされたものであり、電気光学素子の発光の立ち上がりを急峻にし、正確なタイミングで発光輝度の制御ができる駆動回路、電気光学装置、その駆動方法および電子機器を提供することを目的とする。
【課題を解決するための手段】
【０００７】
上記課題を解決するために、本発明の駆動回路では、複数のデータ線の一つを介して供給され、階調を規定する発光電流により制御される複数の電気光学素子を有する電気光学装置の駆動回路であって、前記電気光学素子の発光閾値電圧よりも低く前記データ線をプリチャージするための第１電圧を前記データ線に印加する第１電圧印加部と、前記発光電流を前記電気光学素子に供給する発光電流供給部と、前記第１電圧よりも低く前記電気光学素子の発光を完全にオフ状態にする第２電圧を前記データ線に印加する第２電圧印加部と、を備え、前記電気光学素子に前記発光電流を供給する直前まで、前記データ線に前記第１電圧印加部を接続し、前記電気光学素子の発光開始から終了までは、前記データ線に前記発光電流供給部を接続して、前記電気光学素子に前記発光電流を供給し、前記電気光学素子に前記発光電流の供給を終了した直後に、前記データ線に前記第２電圧印加部を接続する、ことを要旨とする。
【０００８】
この構成によれば、電気光学素子に発光電流を供給する直前まで、電気光学素子の発光閾値電圧よりも低い第１電圧がデータ線に印加されているので、データ線の配線容量は第１電圧によりプリチャージされる。その後、電気光学素子に発光電流が供給されるので、発光電流の立ち上がりが急峻となる。発光電流の供給を終了すると共にデータ線に電気光学素子の発光を完全にオフ状態にする第２電圧が印加されるので、立下りも急峻となり、発光電流の波形を理想的な矩形に近づけることが可能になり、正確な発光輝度の制御が可能になる。
【０００９】
また、本発明の駆動回路では、複数のデータ線の一つを介して供給され、階調を規定する発光電流により制御される複数の電気光学素子を有する電気光学装置の駆動回路であって、前記電気光学素子の発光閾値電圧よりも低く前記データ線をプリチャージするための第１電圧を前記データ線に印加する第１電圧印加部と、前記発光電流を前記電気光学素子に供給する発光電流供給部と、前記第１電圧よりも低く前記電気光学素子の発光を完全にオフ状態にする第２電圧を前記データ線に印加する第２電圧印加部と、前記データ線に対し、前記第１電圧印加部と、前記発光電流供給部と、前記第２電圧印加部と、を切り換え接続する接続切換部と、を備え、前記電気光学素子に前記発光電流を供給する直前まで、前記データ線に対し前記第１電圧印加部を接続し、前記電気光学素子の発光開始から終了までは、前記データ線に対し前記発光電流供給部を接続し、前記電気光学素子に前記発光電流の供給を終了した直後に、前記データ線に対し前記第２電圧印加部を接続する、ように前記接続切換部を制御する。
【００１０】
この構成によれば、電気光学素子に発光電流を供給する直前まで、電気光学素子の発光閾値電圧よりも低い第１電圧がデータ線に印加されているので、データ線の配線容量は第１電圧によりプリチャージされる。その後、電気光学素子に発光電流が供給されるので、発光電流の立ち上がりが急峻となる。発光電流の供給を終了すると共にデータ線に電気光学素子の発光を完全にオフ状態にする第２電圧が印加されるので、立下りも急峻となり、発光電流の波形を理想的な矩形に近づけることが可能になり、正確な発光輝度の制御が可能になる。
【００１１】
また、本発明の駆動回路では、複数のデータ線の一つを介して供給され、階調を規定する発光電流により制御される複数の電気光学素子を有する電気光学装置の駆動回路であって、前記電気光学素子の発光閾値電圧よりも低く前記電気光学素子の接合容量をプリチャージするための第１電圧を前記データ線に印加する第１電圧印加部と、前記発光電流を前記電気光学素子に供給する発光電流供給部と、前記第１電圧よりも低く前記電気光学素子の発光を完全にオフ状態にする第２電圧を前記データ線に印加する第２電圧印加部と、前記データ線に対し、前記第１電圧印加部と、前記発光電流供給部と、前記第２電圧印加部と、を切り換え接続する接続切換部と、を備え、前記電気光学素子に前記発光電流を供給する直前および供給した直後の所定の期間まで、前記データ線に対し前記第１電圧印加部を接続し、前記電気光学素子の発光開始から終了までは、前記データ線に対し前記発光電流供給部を接続し、前記電気光学素子に前記発光電流の供給を終了した直後に、前記データ線に対し前記第２電圧印加部を接続する、ように前記接続切換部を制御する。
【００１２】
この構成によれば、電気光学素子に発光電流を供給する直前まで、電気光学素子の発光閾値電圧よりも低い第１電圧がデータ線に印加されているので、データ線の配線容量は第１電圧によりプリチャージされる。さらに、該当する走査線が選択され、電気光学素子に発光電流を供給直後の所定期間も第１電圧が印加されることにより、電気光学素子の接合容量も第１電圧によりチャージされる。発光電流の供給時には、データ線の配線容量と電気光学素子の接合容量が共にチャージされているので、これらの影響を受けることが緩和され、発光電流の立ち上がりを急峻にすることが可能になる。
【００１３】
また、本発明の駆動回路では、複数のデータ線の一つを介して供給され、階調を規定する発光電流により制御される複数の電気光学素子を有する電気光学装置の駆動回路であって、前記電気光学素子の発光閾値電圧よりも低く前記電気光学素子の接合容量をプリチャージするための第１電圧を前記データ線に印加する第１電圧印加部と、前記発光電流を前記電気光学素子に供給する発光電流供給部と、前記第１電圧よりも低く前記電気光学素子の発光を完全にオフ状態にする第２電圧を前記データ線に印加する第２電圧印加部と、前記電気光学素子に対し前記発光電流を供給中に前記電気光学素子に生じる電圧と等しい第３電圧を前記データ線に印加する第３電圧印加部と、前記電気光学素子に対し、前記第１電圧印加部と、前記発光電流供給部と、前記第２電圧印加部と、前記第３電圧印加部と、を切り換え接続する接続切換部と、を備え、前記電気光学素子に前記発光電流を供給する直前まで、前記データ線に対し前記第１電圧印加部を接続し、前記電気光学素子に前記発光電流を供給した直後の所定の期間、前記データ線に対し前記第３電圧印加部を接続し、前記電気光学素子の発光開始から終了までは、前記データ線に対し前記発光電流供給部を接続し、前記電気光学素子に発光電流の供給を終了した直後に、前記データ線に対し前記第２電圧印加部を接続する、ように前記接続切換部を制御する。
【００１４】
この構成によれば、電気光学素子に発光電流を供給する直前まで、電気光学素子の発光閾値電圧よりも低い第１電圧がデータ線に印加されているので、データ線の配線容量は第１電圧によりプリチャージされる。さらに、該当する走査線が選択され、電気光学素子に発光電流を供給直後の所定期間、電気光学素子に対し発光電流を供給中に電気光学素子に印加されている電圧と等しい第３電圧が印加されることにより、電気光学素子の接合容量も第３電圧によりチャージされる。発光電流の供給時には、データ線の配線容量と電気光学素子の接合容量が共にチャージされているので、これらの影響を受けることが緩和され、発光電流の立ち上がりを急峻にすることが可能になる。さらに、発光電流波形に与える影響を最小限に食い止めることが可能となる。
【００１５】
また、本発明の駆動回路では、前記第２電圧は、前記電気光学素子に逆バイアスを印加する電圧である。
【００１６】
この構成によれば、発光電流の供給を終了すると共にデータ線に電気光学素子の発光を完全にオフ状態にする第２電圧として逆バイアスを印加することにより、電気光学素子の寿命を延ばす効果が得られる。
【００１７】
さらに上記課題を解決するために、本発明の電気光学装置では、前記駆動回路を備える。
【００１８】
この構成によれば、電気光学素子に供給される発光電流の立ち上がりが急峻な本駆動回路を備えた電気光学装置は、階調データに基づく高品位な画像を表示することができる。
【００１９】
また、本発明の電気光学装置では、前記電気光学素子は有機発光ダイオード素子である。
【００２０】
次に、本発明に係る電子機器は、上述した電気光学装置を備え、例えば、パーソナルコンピュータ、携帯電話機、および携帯情報端末等が該当する。
【００２１】
また、本発明の駆動方法では、複数のデータ線の一つを介して供給され、階調を規定する発光電流により制御される複数の電気光学素子を有する電気光学装置の駆動方法であって、前記電気光学素子の発光閾値電圧よりも低く前記データ線をプリチャージするための第１電圧を前記データ線に印加する第１電圧印加工程と、前記発光電流を前記電気光学素子に供給する発光電流供給工程と、前記第１電圧よりも低く前記電気光学素子の発光を完全にオフ状態にする第２電圧を前記データ線に印加する第２電圧印加工程と、からなり、前記電気光学素子に前記発光電流を供給する直前まで、前記データ線に前記第１電圧印加工程を行い、前記電気光学素子の発光開始から終了までは、前記データ線に前記発光電流供給工程を行い、前記電気光学素子に前記発光電流の供給を終了した直後に、前記データ線に前記第２電圧印加工程を行う。
【００２２】
この構成によれば、電気光学素子に発光電流を供給する直前まで、電気光学素子の発光閾値電圧よりも低い第１電圧がデータ線に印加されているので、データ線の配線容量は第１電圧によりプリチャージされる。その後、電気光学素子に発光電流が供給されるので、発光電流の立ち上がりが急峻となる。発光電流の供給を終了すると共にデータ線に電気光学素子の発光を完全にオフ状態にする第２電圧が印加されるので、立下りも急峻となり、発光電流の波形を理想的な矩形に近づけることが可能になり、正確な発光輝度の制御が可能になる。
【発明を実施するための最良の形態】
【００２３】
以下、本発明を具体化した実施例について図面に従って説明する。
（第１実施形態）
【００２４】
＜電気光学装置の構成＞
図１は、本発明の第１実施形態に係る電気光学装置の構成を示すブロック図である。同図に示されるように、電気光学装置１は、単純マトリクス型（パッシブマトリクス型）の電気光学パネルＡＡと走査線駆動回路１０とデータ線駆動回路２０と制御回路３０とを備える。電気光学パネルＡＡには画素領域Ｐが形成されている。この画素領域Ｐには、Ｘ方向（行方向）に延在するｍ本の走査線１０１が形成されている（ｍは自然数）。また、画素領域Ｐには、Ｘ方向と直交するＹ方向（列方向）に延在するｎ本のデータ線１０３が形成されている（ｎは自然数）。そして、走査線１０１とデータ線１０３との各交差に対応して電気光学素子４０が配置されている。したがって、これらの電気光学素子４０は、画素領域Ｐ内においてＸ方向およびＹ方向にわたってマトリクス状に配列されている。
【００２５】
走査線駆動回路１０は、ｍ本の走査線１０１の各々を順次に選択する。さらに詳述すると、走査線駆動回路１０は、水平走査期間ごとに順番にＬレベルとなる走査信号Ｙ１、Ｙ２、…、Ｙｍを各走査線１０１に対して出力する。走査信号Ｙｉ（ｉは１≦ｉ≦ｍを満たす整数）がＬレベルになると第ｉ行が選択される。
【００２６】
一方、データ線駆動回路２０は、走査線駆動回路１０が選択した走査線１０１に接続された各電気光学素子４０に対してデータ信号Ｘ１、Ｘ２、…、Ｘｎを供給する。データ信号Ｘｊ（ｊは１≦ｊ≦ｎを満たす整数）は電流量により第ｊ列目の電気光学素子４０の輝度（階調）を指定する。データ線駆動回路２０は、データ線１０３の総数に相当するｎ個の単位回路Ｕを有する。第ｊ列目の単位回路Ｕは、第ｊ列目の電気光学素子４０に対して階調データＤａｔａに基づいてデータ信号Ｘｊを生成してデータ線１０３に出力する。
【００２７】
制御回路３０は、電気光学装置１の動作を制御するための回路であり、クロック信号など各種の制御信号（例えば後述する制御信号ＳＡ、ＳＢ、ＳＣなど）を走査線駆動回路１０やデータ線駆動回路２０に出力する。また、制御回路３０は、階調データＤａｔａをデータ線駆動回路２０に出力する。この階調データＤａｔａは、各ＯＬＥＤ素子４１の階調（輝度）を指定するデジタルデータである。なお、走査線駆動回路１０やデータ線駆動回路２０や制御回路３０は、例えばＣＯＧ（Chip  On  Glass）技術によって電気光学パネルＡＡに実装されていてもよいし、この電気光学パネルＡＡの外部（例えば電気光学パネルＡＡに実装された配線基板上）に実装されていてもよい。
【００２８】
＜電気光学素子の等価回路＞
次に、図２を参照して電気光学素子４０の等価回路について説明する。図２に示すように、電気光学素子４０の等価回路は、ＯＬＥＤ素子４１と、接合容量Ｃ０が並列に接続された構成として表すことができる。同図においては、第ｉ行目に属する第ｊ列目のひとつの電気光学素子４０のみが図示されており、その他の電気光学素子４０の構成も同様である。本実施形態における電気光学素子４０は、データ線１０３と走査線１０１間に流れる電流値に応じてＯＬＥＤ素子４１の輝度（階調）が制御される。
【００２９】
＜データ線駆動回路の構成＞
図３は、データ線駆動回路２０に含まれるひとつの単位回路Ｕの具体的な構成を示す回路図である。なお、同図においては、第ｊ列目の単位回路Ｕの構成のみが図示されているが、その他の単位回路Ｕの構成も同様である。図３に示されるように、各単位回路Ｕは、接続切換部５０と、発光電流供給部５２と、第２電圧印加部５４と、第１電圧印加部５６と、を有する。
【００３０】
発光電流供給部５２、第２電圧印加部５４、第１電圧印加部５６は、電源回路（図示しない）からそれぞれ、画素電源電圧ＶＥＬ、第２電圧ＶＢ、第１電圧ＶＡ、が供給されている。第１電圧ＶＡは、ＯＬＥＤ素子４１の発光閾値電圧よりわずかに低い電圧であり、データ線１０３の配線容量をプリチャージするための電圧である。また、第２電圧ＶＢは、ＯＬＥＤ素子４１の発光を完全にオフにする電圧である。例えば、ＯＬＥＤ素子４１に逆バイアスを印加する電圧に設定してもよい。発光電流供給部５２は、画素電源電圧ＶＥＬにより発光電流Ｉｒを生成し、電気光学素子４０に供給する。
【００３１】
接続切換部５０は、一方の端子が共通にデータ線１０３に接続されたスイッチング素子ＳＷＡ，ＳＷＢ，ＳＷＰを有する。スイッチング素子ＳＷＡは、もう一方の端子が第１電圧印加部５６に接続され、制御回路３０からの制御信号ＳＡにより、接続状態と非接続状態に切り換わる。制御信号ＳＡがＨレベルのときに接続状態となり、Ｌレベルのときに非接続状態になる。
【００３２】
スイッチング素子ＳＷＢは、もう一方の端子が第２電圧印加部５４に接続され、制御回路３０からの制御信号ＳＢにより、接続状態と非接続状態に切り換わる。制御信号ＳＢがＨレベルのときに接続状態となり、Ｌレベルのときに非接続状態になる。
【００３３】
スイッチング素子ＳＷＰは、もう一方の端子が発光電流供給部５２に接続され、制御回路３０からの階調データＤａｔａにより、接続状態と非接続状態に切り換わる。階調データＤａｔａがＨレベルのときに接続状態となり、Ｌレベルのときに非接続状態になる。
【００３４】
＜データ線駆動回路の動作１＞
次に、制御回路３０によるデータ線駆動回路２０に含まれるひとつの単位回路Ｕの動作について図４を使って説明する。図４は、制御回路３０による単位回路Ｕの動作を説明するタイミングチャートである。説明の簡略化のために、図４では、同一の走査信号Ｙｉを２回選択する場合について示す。また、最初に走査信号Ｙｉが選択（Ｌレベル）される時点ｔ１から時点ｔ２の期間では、階調データＤａｔａにより時点ｔ１から時点ｔ２の階調幅の最大階調を表示する場合を示し、次に走査信号Ｙｉが選択される時点ｔ４から時点ｔ６の期間では、階調データＤａｔａにより、時点ｔ４から時点ｔ５の階調幅の階調を表示する場合を示す。
【００３５】
まず、時点ｔ０から時点ｔ１の期間において、走査信号Ｙｉは非選択状態（Ｈレベル）、階調データＤａｔａは非選択状態（Ｌレベル）、制御信号ＳＡは選択状態（Ｈレベル）、制御信号ＳＢは非選択状態（Ｌレベル）、を維持している。接続切換部５０において、スイッチング素子ＳＷＡが接続状態となり、データ線１０３には、第１電圧印加部５６が接続され、データ線１０３の配線容量は、第１電圧ＶＡにプリチャージされる。
【００３６】
次に、時点ｔ１において、走査信号Ｙｉが選択状態（ＨレベルからＬレベル）に遷移、階調データＤａｔａが選択状態（ＬレベルからＨレベル）に遷移、制御信号ＳＡが非選択状態（ＨレベルからＬレベル）に遷移する。接続切換部５０において、スイッチング素子ＳＷＡが非接続状態、ＳＷＰが接続状態となり、データ線１０３には、発光電流供給部５２が接続され、データ線１０３を介して、発光電流供給部５２から発光電流ＩｒがＯＬＥＤ素子４１に供給され、発光を開始する。発光電流Ｉｒが供給される直前まで、データ線１０３の配線容量は、第１電圧ＶＡにプリチャージされていたので、時点ｔ１のタイミングで、発光電流Ｉｒは急峻に立ち上がり、必要な発光輝度を得ることができる。
【００３７】
次に、時点ｔ２において、走査信号Ｙｉが非選択状態（ＬレベルからＨレベル）に遷移、階調データＤａｔａが非選択状態（ＨレベルからＬレベル）に遷移、制御信号ＳＢが選択状態（ＬレベルからＨレベル）に遷移する。接続切換部５０において、スイッチング素子ＳＷＰが非接続状態、ＳＷＢが接続状態となり、データ線１０３には、第２電圧印加部５４が接続され、データ線１０３の電位は、第２電圧ＶＢにリセットされる。これにより、ＯＬＥＤ素子４１の発光を急峻にオフすることができる。
【００３８】
次に、時点ｔ３において、制御信号ＳＡが選択状態（ＬレベルからＨレベル）に遷移、制御信号ＳＢが非選択状態（ＨレベルからＬレベル）に遷移する。接続切換部５０において、スイッチング素子ＳＷＡが再び接続状態となり、データ線１０３には、第１電圧印加部５６が接続され、次の走査信号Ｙｉが選択される時点ｔ４までの期間で、データ線１０３の配線容量は、第１電圧ＶＡにプリチャージされる。
【００３９】
次に、時点ｔ４において、走査信号Ｙｉが再び選択状態（ＨレベルからＬレベル）に遷移、階調データＤａｔａが選択状態（ＬレベルからＨレベル）に遷移、制御信号ＳＡが非選択状態（ＨレベルからＬレベル）に遷移する。接続切換部５０において、スイッチング素子ＳＷＡが非接続状態、ＳＷＰが接続状態となり、データ線１０３には、発光電流供給部５２が接続され、データ線１０３を介して、発光電流供給部５２から発光電流ＩｒがＯＬＥＤ素子４１に供給され、発光を開始する。
【００４０】
次に、時点ｔ５において、階調データＤａｔａが非選択状態（ＨレベルからＬレベル）に遷移、制御信号ＳＢが選択状態（ＬレベルからＨレベル）に遷移する。接続切換部５０において、スイッチング素子ＳＷＰが非接続状態、ＳＷＢが接続状態となり、データ線１０３には、第２電圧印加部５４が接続され、データ線１０３の電位は、第２電圧ＶＢにリセットされる。この状態は、時点ｔ６において、走査信号Ｙｉが非選択状態（ＬレベルからＨレベル）に遷移後の時点ｔ７まで継続する。
【００４１】
時点ｔ７において、制御信号ＳＡが選択状態（ＬレベルからＨレベル）に遷移、制御信号ＳＢが非選択状態（ＨレベルからＬレベル）に遷移する。接続切換部５０において、スイッチング素子ＳＷＡが再び接続状態となり、データ線１０３には、第１電圧印加部５６が接続され、次の走査信号Ｙｉが選択される時点ｔ８までの期間で、データ線１０３の配線容量は、第１電圧ＶＡにプリチャージされる。
【００４２】
以上に述べた前記実施形態によれば、以下の効果が得られる。
【００４３】
本実施形態では、発光電流を供給する直前まで、データ線の配線容量をＯＬＥＤ素子４１の発光閾値電圧よりもわずかに低い第１電圧ＶＡでプリチャージすることにより、発光電流の立ち上がりを急峻にすることができ、さらに、発光電流の供給終了直後に、ＯＬＥＤ素子４１の発光を完全にオフにする第２電圧ＶＢをデータ線に印加することにより、発光電流の立下りも急峻にすることができる。これにより、発光電流波形を理想的な矩形に近づけることが可能となる。
【００４４】
（第２実施形態）
次に、本発明に係る電気光学装置の第２実施形態について説明する。第１実施形態においては、第１電圧ＶＡを発光電流を供給する直前まで印加するように説明したが、本第２実施形態においては、走査信号Ｙｉが選択状態になり、発光電流の供給が始まった直後も、第１電圧ＶＡをデータ線１０３に印加する場合について図５を使って説明する。
【００４５】
＜データ線駆動回路の動作２＞
図５は、制御回路３０による単位回路Ｕの第２実施形態の動作を説明するタイミングチャートである。走査信号Ｙｉと、階調データＤａｔａと、制御信号ＳＢのタイミングは、図４での説明と同様である。
【００４６】
まず、時点ｔ０から時点ｔ１の期間において、走査信号Ｙｉは非選択状態（Ｈレベル）、階調データＤａｔａは非選択状態（Ｌレベル）、制御信号ＳＡは選択状態（Ｈレベル）、制御信号ＳＢは非選択状態（Ｌレベル）、を維持している。接続切換部５０において、スイッチング素子ＳＷＡが接続状態となり、データ線１０３には、第１電圧印加部５６が接続され、データ線１０３の配線容量は、第１電圧ＶＡにプリチャージされる。
【００４７】
次に、時点ｔ１において、走査信号Ｙｉが選択状態（ＨレベルからＬレベル）に遷移、階調データＤａｔａが選択状態（ＬレベルからＨレベル）に遷移する。制御信号ＳＡは、この時点ｔ１では、Ｈレベルを維持し、時点ｔ１ａにおいて非選択状態（ＨレベルからＬレベル）に遷移する。時点ｔ１から時点ｔ１ａの期間もデータ線１０３には、第１電圧印加部５６と発光電流供給部５２が接続されているので、ＯＬＥＤ素子４１の接合容量Ｃ０も第１電圧ＶＡにチャージされる。このことは、時点ｔ４から時点ｔ４ａにおいても同様である。
【００４８】
以上に述べた前記実施形態によれば、以下の効果が得られる。
【００４９】
本発明の第２実施形態では、データ線の配線容量を第１電圧ＶＡでプリチャージすることに加え、ＯＬＥＤ素子４１の接合容量Ｃ０も第１電圧ＶＡでチャージすることができるので、ＯＬＥＤ素子４１の接合容量Ｃ０のチャージのために発光電流の立ち上がりが緩慢となっていた第１実施形態に比べても、発光電流の立ち上がりをより急峻にすることが可能になる。
【００５０】
（第３実施形態）
次に、本発明に係る電気光学装置の第３実施形態について説明する。第２実施形態においては、走査信号Ｙｉが選択状態になり、発光電流の供給が始まった直後も、第１電圧ＶＡをデータ線１０３に印加する場合について説明したが、本第３実施形態においては、第１電圧ＶＡの代わりに、ＯＬＥＤ素子４１に発光電流を供給中にＯＬＥＤ素子４１に印加されている電圧と等しい第３電圧ＶＣを印加する場合について説明する。
【００５１】
＜データ線駆動回路の構成２＞
図６は、データ線駆動回路２０に含まれるひとつの単位回路Ｕの第３実施形態の具体的な構成を示す回路図である。なお、同図においては、第ｊ列目の単位回路Ｕの構成のみが図示されているが、その他の単位回路Ｕの構成も同様である。図６に示されるように、各単位回路Ｕは、図３で説明した接続切換部５０と、発光電流供給部５２と、第２電圧印加部５４と、第１電圧印加部５６と、に加え、さらに、第３電圧印加部５８を有する。
【００５２】
第３電圧印加部５８は、電源回路（図示しない）から、第３電圧ＶＣが供給されている。第３電圧ＶＣは、ＯＬＥＤ素子４１に発光電流Ｉｒを供給中にＯＬＥＤ素子４１に印加されている電圧と等しい電圧である。
【００５３】
接続切換部５０は、一方の端子が共通にデータ線１０３に接続されたスイッチング素子ＳＷＡ，ＳＷＢ，ＳＷＣ，ＳＷＰを有する。スイッチング素子ＳＷＣは、もう一方の端子が第３電圧印加部５８に接続され、制御回路３０からの制御信号ＳＣにより、接続状態と非接続状態に切り換わる。制御信号ＳＣがＨレベルのときに接続状態となり、Ｌレベルのときに非接続状態になる。
【００５４】
＜データ線駆動回路の動作３＞
図７は、制御回路３０による単位回路Ｕの第３実施形態の動作を説明するタイミングチャートである。走査信号Ｙｉと、階調データＤａｔａと、制御信号ＳＡ、制御信号ＳＢのタイミングは、図４での説明と同様である。
【００５５】
まず、時点ｔ０から時点ｔ１の期間において、走査信号Ｙｉは非選択状態（Ｈレベル）、階調データＤａｔａは非選択状態（Ｌレベル）、制御信号ＳＡは選択状態（Ｈレベル）、制御信号ＳＢは非選択状態（Ｌレベル）、制御信号ＳＣは非選択状態（Ｌレベル）、を維持している。接続切換部５０において、スイッチング素子ＳＷＡが接続状態となり、データ線１０３には、第１電圧印加部５６が接続され、データ線１０３の配線容量は、第１電圧ＶＡにプリチャージされる。
【００５６】
次に、時点ｔ１において、走査信号Ｙｉが選択状態（ＨレベルからＬレベル）に遷移、階調データＤａｔａが選択状態（ＬレベルからＨレベル）に遷移、制御信号ＳＡが非選択状態（ＨレベルからＬレベル）に遷移する。さらに、制御信号ＳＣは、時点ｔ１おいて選択状態（ＬレベルからＨレベル）に遷移、時点ｔ１ａにおいて非選択状態（ＨレベルからＬレベル）に遷移する。時点ｔ１から時点ｔ１ａの期間もデータ線１０３には、第３電圧印加部５８と発光電流供給部５２が接続されているので、ＯＬＥＤ素子４１の接合容量Ｃ０も第３電圧ＶＣにチャージされる。このことは、時点ｔ４から時点ｔ４ａにおいても同様である。
【００５７】
以上に述べた前記実施形態によれば、以下の効果が得られる。
【００５８】
本発明の第３実施形態では、データ線の配線容量を第１電圧ＶＡでプリチャージすることに加え、ＯＬＥＤ素子４１の接合容量Ｃ０を第３電圧ＶＣでチャージすることができるので、ＯＬＥＤ素子４１の接合容量Ｃ０のチャージのために発光電流の立ち上がりが緩慢となっていた第１実施形態に比べても、発光電流の立ち上がりをより急峻にすることが可能になる。さらに、第２実施形態の場合は、ＯＬＥＤ素子４１の接合容量Ｃ０のチャージ電圧が第１電圧ＶＡ（＜発光閾値電圧）だったので、ＯＬＥＤ素子４１に発光電流Ｉｒが同時に供給された時点で、ＯＬＥＤ素子４１の接合容量Ｃ０を第１電圧ＶＡからフルチャージ（＝第３電圧ＶＣ）するために発光電流の立ち上がりが若干緩慢となっていた。本第３実施形態においては、ＯＬＥＤ素子４１の接合容量Ｃ０をチャージする第３電圧ＶＣが、ＯＬＥＤ素子４１に発光電流Ｉｒを供給中にＯＬＥＤ素子４１に印加されている電圧と等しい電圧であるので、チャージに必要なロスがなくなり、発光電流の立ち上がりをさらに急峻にすることが可能になる。
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００５９】
（変形例１）本発明に係る電気光学装置の第１変形例について説明する。前記第１実施形態ないし前記第３実施形態では、階調データＤａｔａが非選択状態に遷移すると同時に、制御信号ＳＢが選択状態に遷移し、データ線１０３に第２電圧印加部５４が接続され、データ線１０３の電位が第２電圧ＶＢにリセットされるように説明したが、必ずしも第２電圧ＶＢにリセットする必要はなく、階調データＤａｔａが非選択状態に遷移すると同時に、制御信号ＳＡを選択状態に遷移させ、データ線１０３の電位を第１電圧ＶＡにセットしてもよい。このようにすれば、電源回路は第２電圧ＶＢを設定する必要がなく、接続切換部５０の構成から第２電圧印加部５４と、スイッチング素子ＳＷＢを省くことができ、制御回路３０から制御信号ＳＢを省くことができる。
【００６０】
（変形例２）本発明に係る電気光学装置の第２変形例について説明する。前記第１実施形態ないし前記第３実施形態では、階調データＤａｔａのパルス幅の基点を走査信号Ｙｉが選択状態に遷移する前方基点として説明したが、必ずしもこれに限定するものではない。例えば、走査信号Ｙｉが非選択状態に遷移する後方基点となるように階調データＤａｔａのパルス幅の基点を設けてもよい。図４において、走査信号Ｙｉの前方基点である時点ｔ４から時点ｔ５までを階調データＤａｔａのパルス幅と設定したが、後方基点とする場合、走査信号Ｙｉの後方基点である時点ｔ６から前方の時点（ｔ６−（ｔ５−ｔ４））で階調データＤａｔａを選択状態にし、時点ｔ６で非選択状態とすればよい。この場合、制御信号ＳＡは、時点ｔ４から時点（ｔ６−（ｔ５−ｔ４））の期間は選択状態とし、制御信号ＳＢは、時点ｔ６から時点ｔ７の期間に選択状態にすればよい。さらに、階調データＤａｔａのパルス幅に応じて複数回に分割しても構わない。
【００６１】
（変形例３）本発明に係る電気光学装置の第３変形例について説明する。前記第１実施形態では、階調データＤａｔａとして、電流出力期間を変える方式であるパルス幅変調（ＰＷＭ： Pulse Width Modulation）方式の場合について説明したが、電流振幅によって階調表現を行うパルス振幅変調（ＰＡＭ：pulse amplitude modulation）方式の場合にも適用できる。
【００６２】
なお、本発明に係る駆動回路が適用される電気光学装置は、ＯＬＥＤ素子に限定されるものではなく、無機ＥＬ素子、フィールドエミッション素子（ＦＥＤ）、表面電動型エミッション素子（ＳＥＤ）、弾道電子放出素子（ＢＳＤ）、発光ダイオード（ＬＥＤ）などの自発光素子を用いた電気光学装置にも適用できる。
【００６３】
＜電子機器＞
次に、上述した実施形態及び変形例に係る電気光学装置１を適用した電子機器について説明する。図８に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置１はＯＬＥＤ素子４１を用いるので、視野角が広く見易い画面を表示できる。
【００６４】
図９に、電気光学装置１を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
【００６５】
図１０に、電気光学装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。複数の操作ボタン４００１を操作すると、住所録やスケジュール帳といった各種の情報が電気光学装置１に表示される。
【００６６】
なお、電気光学装置１が適用される電子機器としては、図８〜図１０に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。これらの各種電子機器の表示部として、前述した電気光学装置１が適用可能である。また、直接画像や文字などを表示する電子機器の表示部に限られず、被感光体に光を照射することにより間接的に画像もしくは文字を形成するために用いられる印刷機器の光源として適用してもよい。
【図面の簡単な説明】
【００６７】
【図１】本発明の第１実施形態に係る電気光学装置の構成を示すブロック図。
【図２】電気光学素子の等価回路を示す図。
【図３】データ線駆動回路の第１実施形態の構成を示す回路図。
【図４】制御回路によるデータ線駆動回路の第１実施形態の動作を説明するタイミングチャート。
【図５】制御回路によるデータ線駆動回路の第２実施形態の動作を説明するタイミングチャート。
【図６】データ線駆動回路の第３実施形態の構成を示す回路図。
【図７】制御回路によるデータ線駆動回路の第３実施形態の動作を説明するタイミングチャート。
【図８】本発明を適用したパーソナルコンピュータの構成を示す斜視図。
【図９】本発明を適用した携帯電話機の構成を示す斜視図。
【図１０】本発明を適用した携帯型情報端末の構成を示す斜視図。
【符号の説明】
【００６８】
１…電気光学装置，ＡＡ…電気光学パネル，Ｐ…画素領域，１０…走査線駆動回路，２０…データ線駆動回路，Ｕ…単位回路，３０…制御回路，４０…電気光学素子，４１…ＯＬＥＤ素子，１０１…走査線，１０３…データ線，５０…接続切換部，５２…発光電流供給部，５４…第２電圧印加部，５６…第１電圧印加部，５８…第３電圧印加部，ＳＷＡ，ＳＷＢ，ＳＷＣ，ＳＷＰ…スイッチング素子，Ｃ０…接合容量，Ｉｒ…発光電流，ＶＡ…第１電圧，ＶＢ…第２電圧，ＶＣ…第３電圧，ＶＥＬ…画素電源電圧。
【図１】
2006308633.tif 000003
【図２】
2006308633.tif 000004
【図３】
2006308633.tif 000005
【図４】
2006308633.tif 000006
【図５】
2006308633.tif 000007
【図６】
2006308633.tif 000008
【図７】
2006308633.tif 000009
【図８】
2006308633.tif 000010
【図９】
2006308633.tif 000011
【図１０】
2006308633.tif 000012